(57)【特許請求の範囲】
【請求項１】
選択的に活性化されたり非活性化される多数の画素セグメント（2,3）を有するディスプレイ、看板、プリンタヘッド等を形成する装置において、
画素セグメント（2,3）が、一つの幾何学的形状セグメント（２）と、４つの同一のコーナーセグメント（３）とから成り、
前記画素セグメント（2,3）が、並置される多数の等しい画像セグメントユニット（１）を形成するように配置され、
各画素セグメントユニット（１）が方形体であり、該方形体に前記幾何学的形状セグメント（２）が内接し、直線又は湾曲部分が方形体の４つの同一のコーナーセグメント（３）を画定する
ことを特徴とする装置。
【請求項２】
画像セグメント（2,3）が、LCD素子から成っている
ことを特徴とする請求の範囲１に記載の装置。
【請求項３】
LCD素子（2,3）が、LCD素子（2,3）を活性化する電気接続体（５）を備えている
ことを特徴とする請求の範囲２に記載の装置。
【請求項４】
LCD素子（2,3）がヒース、好ましくは案内されたレーザービームによって活性化され得る
ことを特徴とする請求の範囲２に記載の装置。
【請求項５】
画像セグメント（2,3）が、各々光源によって背後から照射できる領域から成っている
ことを特徴とする請求の範囲１に記載の装置。
【請求項６】
画像セグメント（2,3）が、透過性に構成される画像セグメント（2,3）を背後から照射するため幾つかの画像セグメントに共通の光源を備えている
ことを特徴とする請求の範囲２〜４の何れか一項に記載の装置。
【発明の詳細な説明】
本発明は、選択的の活性化されたり非活性化される多数の画像セグメントを有する、ディスプレイ、看板、プリンタヘッド等を形成する装置に関するものである。
このような装置の多数の樣な形態のものが種々の目的において知られている。それらのうちの幾つかは、複数のLCD素子から成る複数の画像セグメントの利用に基づいており、これらの画像セグメントは、同一または異なるもの同志から成る画像セグメントユニットを形成するように配列されている。このような画像セグメントユニットによって画像、通常、精度の高いまたは精度の低い文字数字画像を形成することは可能であった。精度を高めるには、非常に多数の画像セグメント及び付属の接続体が必要となる。このような例は特に、問題の画像が文字数字の分野を越えたキャラクタ例えば交通標識から成らなければならない場合である。この目的で、通常、光源によって背面から照射され得るディスプレイスクリーンが用いられており、かかるディスプレイスクリーンは通常画像を表示すべき大面積の看板上のあちこちに対称的に配置される。ディスプレイスクリーンは連続して活性化、すなわち透明にされたり非活性化、すなわち不透明にされ、意図した図形や文字を表示する。代わりに、ディスプレイスクリーンは、それぞれ透明状態及び不透明状態に作動されるLCD素子からなることができる。
本発明の目的は、少数の画像セグメントを用いて簡単に制御できかつ読み易さを改善した上記形式の装置を提供することにある。
この目的は、本発明によれば、画像セグメントが、一つの幾何学的形状セグメントと、４つの同一のコーナーセグメントから成り、前記画素セグメントが、並置される多数の等しい画像セグメントユニットを形成するように配置され、各画素セグメントユニットが方形体であり、該方形体に前記幾何学的形状セグメントが内接し、直線又は湾曲部分が方形体の４つの同一のコーナーセグメントを画定することによって達成される。画像セグメントは適当にはLCD素子から成り、LCD素子を活性化する六つ電気接続体を備えているかまたは代わりにヒース好ましくは案内されたレーザービームによって活性化される形式のものである。またある応用では、画像セグメントは、各々光源によってまたは幾つかの画像セグメントに共通の光源によって背面から照射され得るディスプレイスクリーンからなることができ、大面積の光看板を形成することができる。
以下、実施例を概略的に示す添付図面を参照して本発明を詳細に説明する。
第１図は、画像セグメントユニットの平面図であり、第２図は、画像セグメントユニットからなる本発明のディスプレイを示し、第３図及び第４図は二つの可能な設計による通常の画像セグメントユニットからなる装置で構成されたディスプレイを示し、第５図及び第６図は、画像セグメントユニットの二つの代わりの実施例を示す平面図であり、また第７図、第８図及び第９図は三つの異なる実施例による画像セグメントの横断面図である。
第１図は、画素とも呼ばれる画像セグメントユニット１を示している。本発明によれば、この画像セグメントユニット１は、五つのLCD要素、又は画像セグメント、即ち、一つの円形セグメント２と四つのコーナセグメント３とに分割され、ユニット１は方形体の中の円が内接した形態になっている。画像セグメントユニット１は、一般的な方法で設計され、フレーム４を有する。フレーム４の縁部に沿って、異なる画像セグメント2,3への接続部５が配置されている。大きい画像用に幾つか、例えば、５×８画素ユニットを結合する場合、一般的な方法では、フレーム４は画像の周囲に配置され、個々の画素の周りには配置されない。
第２図は、ディジット「８」の形態の装置のディスプレイを示しており、これは、ディスプレイが５×７画像セグメントユニット１を有する領域により構成さ得る。装置の湾曲部分は、例えば、ディジットの右上角にある三つの画像セグメントユニットの画像セグメント10〜15と、ディジットの中間部分の右側にある三つの画像セグメントユニットの画像セグメント9,12〜15と、ディジットの右下角にある三つの画像セグメントユニットの画像セグメント9,12〜14,16,17と、図中左側部分にある対応する画像セグメントユニットとが非可視であるので、特に読み易い形態になっている。
第３図及び第４図に示された比較例では、方形体が五つの画像セグメントに分割されていない方形体画像セグメントユニットによって二つの異なる可能な方法で形成された同じディジットが示されている。従って、ディジットは非常に角張っており、読み取りが困難である。
方形体の中に円が内接した形態の画像セグメントユニット１に変えると、第５図及び第６図に示すように、各々コーナセグメント3'及び3"を備えた方形体の中に内接した四角形2'或いは方形体の中の内接した八角形2"を使用することが可能になる。
第７図〜第９図は、本発明によるディスプレイを提供するための三つの異なる装置の非常に簡略化した断面図を示している。
第７図は、LCD要素22で構成された正面部と、透明、適当には着色された裏面部23とを備えたケーシング21を示しており、光源24によって後ろから照射されている。さらに、LCD要素22から成る非可視画像セグメントは暗闇であっても明瞭に露出される。
第８図は、例えば、着色硝子から成る画像セグメントから構成された正面部25を備えたケーシング21を示している。各画像セグメントの後方には、仕切り壁26によって隔てられて、バルブ27から成る光源がある。
第９図は、光源を持たず、ケーシング21とLCD要素から成る正面部28とを備えた変形例を示しており、それ自体が公知の方法で可動レーザビーム29によって発生されたヒース（heath）によって活性化され得る。ケーシングの裏面部30の内側には、可視及び非可視に形成された画像セグメント間の良好なコントラスト効果を高める適当な色が着色される。
本発明は、ここで示しまた説明した実施例に制限されず、請求の範囲で限定された発明の概念の範囲内であれば様々な方法で変形することができることは理解されるべきである。従って、各画像セグメントユニットは、画像セグメントがメモリー機能を有し、その結果、画像セグメントが活性化した後、制御電圧が途絶え、その後、画像セグメントを不活性化する新規の信号が与えられるまで、画像セグメントを活性化状態に維持する種類であり得る。
【図１】
0003651899.tif 000002
【図７】
0003651899.tif 000003
【図８】
0003651899.tif 000004
【図２】
0003651899.tif 000005
【図３】
0003651899.tif 000006
【図４】
0003651899.tif 000007
【図５】
0003651899.tif 000008
【図６】
0003651899.tif 000009
【図９】
0003651899.tif 000010